(57)【要約】【課題】原稿の画像を読み取る画像読取部を備える構成において、より小型化を図ることができる画像形成装置を提供すること。【解決手段】  用紙Ｐに画像を形成する画像形成部３を収容する本体ケーシング２と、本体ケーシング２の上側に対向配置され、原稿の画像を読み取る画像読取部５を保持するスキャナフレーム４とを備えるプリンタ１において、スキャナフレーム４の左端部に、画像読取部５を駆動させるモータ５５を収容するためのモータ収容部５２を設け、本体ケーシング２の右端部に、モータ５５の駆動を制御するメイン制御基板３５を収容するための基板収容部４１を設ける。【選択図】図２
2014109633.tif 000002
【特許請求の範囲】
【請求項１】
記録媒体に画像を形成するための画像形成部を保持する第１筐体と、
前記第１筐体に対向する位置に配置され原稿の画像を読み取る画像読取部を保持する第２筐体と、
前記第２筐体に備えられ、前記画像読取部を駆動させるための駆動源と、
前記第１筐体に備えられ、前記駆動源および前記画像読取部に電気的に接続されて、前記画像読取部の動作を制御するための制御基板と
を備え、
前記第２筐体は、前記第１筐体と前記第２筐体とが対向する第１方向と直交する第２方向の一方側端部において前記駆動源を収容する駆動源収容部を備え、
前記第１筐体は、前記第２方向他方側端部において前記制御基板を収容する基板収容部を備える
ことを特徴とする画像形成装置。
【請求項２】
前記第１筐体は、前記第２方向一方側端部において前記駆動源収容部に対向する駆動側対向部を備え、
前記第１方向において前記基板収容部の前記第２筐体側の端部は、前記駆動側対向部の前記第２筐体側の端部よりも前記第２筐体側に配置されている
ことを特徴とする、請求項１に記載の画像形成装置。
【請求項３】
前記第１方向において前記制御基板の少なくとも一部は、前記駆動側対向部の前記第２筐体側の端部よりも前記第２筐体側に配置されている
ことを特徴とする、請求項２に記載の画像形成装置。
【請求項４】
前記第１方向において前記駆動源収容部の少なくとも一部は、前記制御基板の前記第２筐体側の端部よりも前記第１筐体側に配置されている
ことを特徴とする、請求項１ないし３のいずれか一項に記載の画像形成装置。
【請求項５】
前記第２筐体は、前記第２方向他方側端部において前記基板収容部に対向される基板側対向部を備え、
前記第１方向において前記駆動源の少なくとも一部は、前記基板側対向部の前記第１筐体側の端部よりも前記第１筐体側に配置されている
ことを特徴とする、請求項１ないし４のいずれか一項に記載の画像形成装置。
【請求項６】
前記第１筐体は、記録媒体を搬送するための搬送経路を有し、
前記駆動源は、前記第１方向に投影したときに、前記搬送経路と重ならないように配置されている
ことを特徴とする、請求項１ないし５のいずれか一項に記載の画像形成装置。
【請求項７】
前記画像形成部は、搬送経路中であって前記第１方向において前記第１筐体の前記第２筐体側に記録媒体に画像を定着させるための定着器を備え、
前記第１方向において前記定着器と重なる位置では、前記第１筐体と前記第２筐体とは間隔を隔てて対向されている
ことを特徴とする、請求項１ないし６のいずれか一項に記載の画像形成装置。
【請求項８】
前記駆動源は、前記定着器よりも前記第２方向一方側に配置されている
ことを特徴とする、請求項７に記載の画像形成装置。
【発明の詳細な説明】
【技術分野】
【０００１】
本発明は、原稿の画像を読み取る画像読取部を有する画像形成装置に関する。
【背景技術】
【０００２】
画像形成装置として、原稿の画像を読み取る画像読取部と、記録媒体に画像を形成する画像形成部とを備える画像形成装置が知られている。
【０００３】
例えば、画像形成部の上方側に画像読取装置を設け、画像読取装置を駆動させるための歯車機構を、画像形成部の後方において、原稿台の上端面位置よりも下側へ突出させるように配置した画像形成装置が提案されている（たとえば、下記特許文献１参照。）。
【先行技術文献】
【特許文献】
【０００４】
【特許文献１】特開２０１０−１０９５７３号公報
【発明の概要】
【発明が解決しようとする課題】
【０００５】
しかるに、上記した特許文献１に記載されるような画像形成装置には、通常、画像読取装置の動作を制御する制御基板が設けられている。
【０００６】
そのため、画像形成装置には制御基板を配置するためのスペースが必要であり、そのスペースの分、画像形成装置が大型化するおそれがある。
【０００７】
また、一般に、画像読取装置を駆動させる構成と画像読取装置の動作を制御する構成とを近接して配置することが検討されるため、上記した特許文献１に記載されるような画像形成装置において、歯車機構と制御基板とが上下に重なるように配置されることが考えられる。
【０００８】
しかし、歯車機構と制御基板とが上下に重なるように配置されると、さらに、画像形成装置が大型化するおそれがある。
【０００９】
そこで、本発明の目的は、原稿の画像を読み取る画像読取部を備える構成において、より小型化を図ることができる画像形成装置を提供することにある。
【課題を解決するための手段】
【００１０】
（１）上記した目的を達成するために、本発明の画像形成装置は、記録媒体に画像を形成するための画像形成部を保持する第１筐体と、第１筐体に対向する位置に配置され原稿の画像を読み取る画像読取部を保持する第２筐体と、第２筐体に備えられ、画像読取部を駆動させるための駆動源と、第１筐体に備えられ、駆動源および画像読取部に電気的に接続されて、画像読取部の動作を制御するための制御基板とを備える。
【００１１】
第２筐体は、第１方向と直交する第２方向の一方側端部において駆動源を収容する駆動源収容部を備える。
【００１２】
第１筐体は、第２方向他方側端部において制御基板を収容する基板収容部を備える。
【００１３】
このような構成によれば、駆動源を収容する駆動源収容部が、第２筐体の第２方向一方側端部に配置され、制御基板を収容する基板収容部が、第１筐体の第２方向他方側端部に配置されている。
【００１４】
そのため、第１筐体の第２方向一方側の空間を利用して駆動源収容部を配置するとともに、第２筐体の第２方向他方側の空間を利用して基板収容部を配置することができる。
【００１５】
これにより、駆動源収容部と基板収容部とが同じ側に設けられている場合と比べて、駆動源収容部および基板収容部を効率よく配置することができる。
【００１６】
その結果、原稿の画像を読み取る画像読取部を備える構成において、画像形成装置の小型化をより図ることができる。
（２）また、第１筐体は、第２方向一方側端部において駆動源収容部に対向する駆動側対向部を備えてもよい。この場合、第１方向において基板収容部の第２筐体側の端部は、駆動側対向部の第２筐体側の端部よりも第２筐体側に配置されていてもよい。
【００１７】
このような構成によれば、駆動側対向部の第２筐体側の空間を利用して駆動源収容部を効率よく配置することができる。
（３）また、第１方向において制御基板の少なくとも一部は、駆動側対向部の第２筐体側の端部よりも第２筐体側に配置されていてもよい。
【００１８】
このような構成によれば、駆動源対向部の第２筐体側に、制御基板の少なくとも一部に対応する第１方向長さの空間を確保することができる。
【００１９】
そのため、駆動源収容部をより効率よく配置することができる。
（４）また、第１方向において駆動源収容部の少なくとも一部は、制御基板の第２筐体側の端部よりも第１筐体側に配置されていてもよい。
【００２０】
このような構成によれば、駆動源収容部と制御基板とは、第２方向から見て重なるように配置されている。
【００２１】
そのため、制御基板の第２筐体側に駆動源収容部が配置される構成と比べて、画像形成装置の上下方向長さを低減することができ、画像形成装置の小型化をより図ることができる。
（５）また、第２筐体は、第２方向他方側端部において基板収容部に対向される基板側対向部を備えてもよい。この場合、第１方向において駆動源の少なくとも一部は、基板側対向部の第１筐体側の端部よりも第１筐体側に配置されていてもよい。
【００２２】
このような構成によれば、基板側対向部の第１筐体側の空間を利用して基板収容部を効率よく配置することができる。
【００２３】
しかも、基板側対向部の第１筐体側に、駆動源の少なくとも一部に対応する第１方向長さの空間を確保することができる。
【００２４】
そのため、基板収容部をより効率よく配置することができ、画像形成装置の小型化をより一層図ることができる。
（６）また、第１筐体は、記録媒体を搬送するための搬送経路を有してもよい。この場合、駆動源は、第１方向に投影したときに、搬送経路と重ならないように配置されていてもよい。
【００２５】
このような構成によれば、駆動源を、搬送経路と干渉させることなく、第１方向においてより第１筐体側に配置することができる。
（７）また、画像形成部は、搬送経路中であって第１方向において第１筐体の第２筐体側に記録媒体に画像を定着させるための定着器を備えてもよい。この場合、第１方向において定着器と重なる位置では、第１筐体と第２筐体とは間隔を隔てて対向されていてもよい。
【００２６】
このような構成によれば、第１筐体と第２筐体との間隔を利用して、定着器から発生される熱を、画像形成装置の外へ排出することができる。
（８）また、駆動源は、定着器よりも第２方向一方側に配置されていてもよい。
【００２７】
このような構成によれば、定着器の第２方向一方側の空間を利用して、駆動源を配置することができる。
【００２８】
そのため、駆動源をより効率よく配置することができ、画像形成装置の小型化をより一層図ることができる。
【発明の効果】
【００２９】
本発明の画像形成装置によれば、原稿の画像を読み取る画像読取部を備える構成において、より小型化を図ることができる。
【図面の簡単な説明】
【００３０】
【図１】図１は、本発明の画像形成装置の一実施形態としてのプリンタを示す中央断面図である。
【図２】図２は、図１に示すプリンタの右前側から見た斜視図であり、右側のサイドカバー３３を外した状態を示す。
【図３】図３は、図２に示すプリンタの右側面図である。
【図４】図４は、図１に示す本体ケーシングの平面図であり、定着カバーを外した状態を示す。
【図５】図５は、図４のＡ−Ａ断面図である。
【発明を実施するための形態】
【００３１】
１．プリンタの全体構成
図１に示すように、画像形成装置の一例としてのプリンタ１は、第１筺体の一例としての本体ケーシング２内に保持される画像形成部３と、本体ケーシング２の上に設けられ、第２筐体の一例としてのスキャナフレーム４内に保持される画像読取部５とを一体的に備える複合機である。
【００３２】
なお、以下の説明において、プリンタ１の方向に言及するときには、プリンタ１を水平に載置した状態を上下の基準とする。すなわち、図１の紙面上側が上側であり、紙面下側が下側である。また、図１の紙面左側が前側であり、図１の紙面右側が後側である。また、プリンタ１を前側から見たときを左右の基準とする。すなわち、図１の紙面手前側が右側であり、紙面奥側が左側である。なお、上下方向は、第１方向の一例であり、左右方向は、第２方向の一例である。また、左側は、第２方向の一方側の一例であり、右側は、第２方向の他方側の一例である。
【００３３】
画像形成部３は、プロセスユニット６と、露光ユニット７と、定着器の一例としての定着ユニット８とを備え、記録媒体の一例としての用紙Ｐに画像を形成する。
【００３４】
プロセスユニット６は、本体ケーシング２の上下方向略中央に配置されている。プロセスユニット６は、ドラムユニット９と、現像ユニット１０とを備えている。
【００３５】
ドラムユニット９は、感光ドラム１１と、転写ローラ１２と、スコロトロン型帯電器１３とを備えている。
【００３６】
感光ドラム１１は、所定方向の一例としての左右方向に延びる略円筒形状に形成されており、ドラムユニット９の後側部分に、回転可能に設けられている。
【００３７】
転写ローラ１２は、感光ドラム１１の後側に、回転可能に設けられている。転写ローラ１２は、感光ドラム１１に対して後側から圧接されている。
【００３８】
スコロトロン型帯電器１３は、感光ドラム１１の上側に間隔を隔てて対向配置されている。
【００３９】
現像ユニット１０は、現像ローラ１４と、供給ローラ１５と、層厚規制ブレード１６とを備えている。
【００４０】
現像ローラ１４は、現像ユニット１０の後端部に回転可能に設けられている。また、現像ローラ１４は、感光ドラム１１に対して前下側から接触されている。
【００４１】
供給ローラ１５は、現像ローラ１４の前下側に回転可能に設けられている。また、供給ローラ１５は、現像ローラ１４に対して前下側から接触されている。
【００４２】
層厚規制ブレード１６は、現像ローラ１４の前上側に配置されている。層厚規制ブレード１６は、現像ローラ１４に前側から接触されている。
【００４３】
なお、供給ローラ１５および層厚規制ブレード１６の前側の空間には、トナーが収容されている。
【００４４】
露光ユニット７は、本体ケーシング２の上下方向略中央において、プロセスユニット６の前側に配置されている。露光ユニット７は、感光ドラム１１に向けて、画像データに基づくレーザービームＬを出射し、感光ドラム１１の周面を露光する。
【００４５】
定着ユニット８は、本体ケーシング２の後上側端部において、プロセスユニット６の上側に配置されている。定着ユニット８は、加熱ローラ１７と、加熱ローラ１７に対して後上側から圧接される加圧ローラ１８とを備えている。
【００４６】
そして、プリンタ１に印刷ジョブが入力され、画像形成動作が開始されると、現像ユニット１０内のトナーは、供給ローラ１５と現像ローラ１４との間で摩擦帯電され、層厚規制ブレード１６によって厚さが規制されて、一定厚さの薄層として現像ローラ１４の表面に担持される。
【００４７】
一方、感光ドラム１１の表面は、スコロトロン型帯電器１３によって一様に帯電された後、露光ユニット７によって露光される。これにより、感光ドラム１１の表面には、画像データに基づく静電潜像が形成される。そして、現像ローラ１４に担持されるトナーが感光ドラム１１の表面上の静電潜像に供給されることにより、感光ドラム１１の表面上にトナー像が担持される。
【００４８】
本体ケーシング２の底部に設けられる用紙載置部１９に載置された用紙Ｐは、各種ローラの回転により、所定のタイミングで１枚ずつ、感光ドラム１１と転写ローラ１２との間に給紙される。そして、用紙Ｐには、感光ドラム１１と転写ローラ１２との間を通過するときに、トナー像が転写され、画像が形成される。
【００４９】
続いて、用紙Ｐは、加熱ローラ１７と加圧ローラ１８との間を通過するときに加熱および加圧される。このとき、用紙Ｐには、画像が熱定着される。その後、用紙Ｐは、本体ケーシング２の上壁に設けられる排紙トレイ２０に排紙される。
【００５０】
このように用紙Ｐは、プリンタ１の画像形成動作において、用紙載置部１９から排紙トレイ２０へ、側面視略Ｃ字状の搬送経路中を搬送される。
【００５１】
画像読取部５は、排紙トレイ２０の上側に間隔を隔てて配置されている。画像読取部５は、いわゆるＣＩＳ方式、すなわち、読取センサとして密着イメージセンサを採用するフラットベッドスキャナである。画像読取部５は、ガラスなどからなる読取窓２２と、原稿カバー２１とを備えている。画像読取部５では、読取窓２２と原稿カバー２１との間に原稿が配置された後、図示しない読取センサをスライドさせることによって原稿の画像情報を読み取る。なお、このプリンタ１では、画像読取部５で読み取った原稿の画像情報に基づいて、上記した画像形成動作を実施することができる。
２．本体ケーシングの詳細
本体ケーシング２は、図１および図２に示すように、左右１対の第１支持フレーム３１と、定着カバー３０と、第２支持フレーム３２と、左右１対のサイドカバー３３とを備えている。なお、以下の説明では、右側の第１支持フレーム３１の構成について詳細に説明し、左側の第１支持フレーム３１の構成については、説明を省略する場合がある。
【００５２】
１対の第１支持フレーム３１は、互いに左右方向に間隔を隔てて対向配置されている。１対の第１支持フレーム３１間には、プロセスユニット６、露光ユニット７および定着ユニット８が支持されている。すなわち、上記した用紙Ｐの搬送経路は、１対の第１支持フレーム３１間に構成されている。第１支持フレーム３１は、側面視略矩形の枠形状に形成されている。また、右側の第１支持フレーム３１には、低圧電源基板３４と、高圧電源基板３６と、制御基板の一例としてのメイン制御基板３５とが支持されている。なお、図示しないが、左側の第１支持フレーム３１には、上記した画像形成部３に駆動力を入力するためのモータやギア列が支持されている。
【００５３】
低圧電源基板３４は、第１支持フレーム３１の下側半分に支持されている。低圧電源基板３４は、外部電源からプリンタ１に入力された交流電流を直流電流に変換する。低圧電源基板３４は、金属製の被覆板３７によって被覆されている。
【００５４】
高圧電源基板３６は、低圧電源基板３４の上側に配置され、第１支持フレーム３１に支持されている。高圧電源基板３６は、前後方向に延びる側面視略矩形の平板形状に形成されている。高圧電源基板３６は、低圧電源基板３４に電気的に接続されている。高圧電源基板３６は、図示しない変圧器を備え、メイン制御基板３５によって制御されることにより、低圧電源基板３４から入力された直流電流を、所定の電圧に変換して、スコロトロン型帯電器１３、転写ローラ１２、現像ローラ１４および供給ローラ１５に供給する。
【００５５】
メイン制御基板３５は、高圧電源基板３６の後端部の左側に間隔を隔てて配置されている。メイン制御基板３５は、前後方向に延びる側面視略矩形の平板形状に形成され、その前側半分３５Ａが第１支持フレーム３１の上端部に支持されるとともに、その後側半分３５Ｂが第２フレーム３１の上端部に支持されている。メイン制御基板３５の前側半分３５Ａの下端部は、左右方向に投影したときに、高圧電源基板３６の上端部に重なっている。メイン制御基板３５は、低圧電源基板３４に電気的に接続されている。また、メイン制御基板３５は、信号配線３８を介して高圧電源基板３６に接続されている。また、メイン制御基板３５は、後述するモータ５５の駆動を制御して、画像読取部５の動作を制御する。
【００５６】
定着カバー３０は、定着ユニット８を被覆するように、１対の第１支持フレーム３１の上端部間に配置されている。定着カバー３０は、左右方向に延びる略平板形状に形成されている。
【００５７】
第２支持フレーム３２は、図２、図４および図５に示すように、プロセスユニット６および定着ユニット８の後側に配置されている。第２支持フレーム３２は、下側が開放された断面視略Ｕ字形状に形成されている。第２支持フレーム３２は、左右１対の側壁３９と、前壁４５と、上壁４０と、後壁４６を備えている。
【００５８】
１対の側壁３９は、互いに左右方向に間隔を隔てて対向配置されている。なお、以下の説明において、右側の側壁３９を右壁３９Ｒと記載し、左側の側壁３９を左壁３９Ｌと記載する。
【００５９】
右壁３９Ｒは、上下方向に延び、右端部が閉鎖された側面視略矩形の有底枠形状に形成されている。右壁３９Ｒは、基板収容部４１を備えている。また、右壁３９Ｒの上端部内には、メイン制御基板３５の後側半分３５Ｂが支持されている。
【００６０】
基板収容部４１は、右壁３９Ｒの上端部から連続して上側へ延びている。基板収容部４１は、右端部、前端部および下端部が開放された略矩形枠形状に形成されている。基板収容部４１の上端縁は、前後方向に投影したときに、右側の第１支持フレーム３１の上端部と重なるように配置されている。基板収容部４１の内側には、メイン制御基板３５の後側半分３５Ｂが収容されている。
【００６１】
左壁３９Ｌは、上下方向に延び、左端部が閉鎖された側面視略矩形の有底枠形状に形成されている。左壁３９Ｌは、駆動側対向部４２を備えている。
【００６２】
駆動側対向部４２は、左壁３９Ｌの上壁であって、左右方向に延びる略平板形状に形成されている。駆動側対向部４２の上面４２Ａは、基板収容部４１の上面４１Ａよりも下側に配置されている。また、駆動側対向部４２の上面４２Ａは、メイン制御基板３５の上端部よりも下側に配置されている。
【００６３】
前壁４５は、図１および図４に示すように、１対の側壁３９の前端部間に架設されている。前壁４５は、上下方向に延びる略平板形状に形成されている。
【００６４】
上壁４０は、１対の側壁３９の上端部間に架設されている。上壁４０は、左右方向に延びる略平板形状に形成されている。上壁４０の左端部は、駆動側対向部４２の右端部に連続されている。また、上壁４０の右端部は、基板収容部４１下側において、右壁３９Ｒの左面に連続されている。
【００６５】
後壁４６は、上壁４０の後端部から連続して上側へ延び、左右方向に延びる略平板形状に形成されている。また、後壁４６には、複数のスリット４７が形成されている。
【００６６】
複数のスリット４７は、後壁４６の左右方向中央部において、互いに上下方向および左右方向に間隔を隔てて並列配置されている。スリット４７は、後壁４６を貫通し、左右方向に延びる略直線形状に形成されている。
【００６７】
１対のサイドカバー３３のそれぞれは、図４および図５に示すように、対応する第１支持フレーム３１、および、第２支持フレーム３２を左右方向外側から被覆する。サイドカバー３３は、前後方向および上下方向に延びる略平板形状に形成されている。
３．スキャナフレームの詳細
スキャナフレーム４は、図１および図２に示すように、本体ケーシング２の上側に対向配置されている。スキャナフレーム４は、フレーム本体５１と、上記した原稿カバー２１とを備えている。
【００６８】
フレーム本体５１は、スキャナフレーム４の下側半分を構成し、上下方向に扁平な略ボックス形状に形成されている。フレーム本体５１の上壁には、その中央部において開口５８が形成されている。開口５８は、上記した読取窓２２によって閉鎖されている。また、フレーム本体５１は、駆動源収容部の一例としてのモータ収容部５２と、配線収容部５３と、左右１対の脚部５４とを備えている。また、フレーム本体５１は、駆動源の一例としてのモータ５５を支持している。
【００６９】
モータ収容部５２は、フレーム本体５１の下壁５７の左後側端部から下側へ向かって突出し、下端部が閉鎖された略角筒形状に形成されている。
【００７０】
配線収容部５３は、フレーム本体５１の下壁５７の後端部に配置されている。配線収容部５３は、モータ収容部５２の右端部から右側へ向かって延び、右端部が閉鎖された略角筒形状に形成されている。配線収容部５３の左端部は、モータ収容部５２内に連通されている。また、配線収容部５３には、配線露出部５９が設けられている。
【００７１】
配線露出部５９は、配線収容部５３の右端部から下側へ延び、下端部が開放された略角筒形状に形成されている。配線露出部５９は、その上端部において、配線収容部５３内に連通されている。配線露出部５９は、スキャナフレーム４が近接位置に配置されている状態において、上下方向に投影したときにメイン制御基板３５と重ならないように、メイン制御基板３５の後側に配置される。これにより、スキャナフレーム４を離間位置から近接位置へ揺動させるときに配線５６が配線露出部５９とメイン制御基板３５との間に挟まって損傷することなどを防止できる。また、この状態において、配線露出部５９の下端部は、メイン制御基板３５の上端部よりも下側に配置される。つまり、配線露出部５９をより下側に配置することができ、プリンタ１の小型化をより図ることができる。
【００７２】
１対の脚部５４は、フレーム本体５１の下壁５７の左前側端部と右前側端部とに１つずつ配置されている。脚部５４は、下壁５７から下側へ突出する略角柱形状に形成されている。
【００７３】
モータ５５は、図４および図５に示すように、モータ収容部５２内において、配置され、上下方向に延びる略円筒形状に形成されている。モータ５５の下端部は、配線収容部５３の下端部よりも下側に配置されている。モータ５５は、図示しない読取センサに駆動伝達可能に連結されており、読取窓２２の下側において、図示しない読取センサを水平に移動させる。また、モータ５５は、配線５６を介して、メイン制御基板３５の後側半分３５Ｂに電気的に接続されている。
【００７４】
配線５６は、配線収容部５３内において左右方向に延びるように配置されている。
配線５６の左端部は、モータ５５の後端部に電気的に接続されている。配線５６の右端部は、配線露出部５９を介して配線収容部５３から下側へ露出され、メイン制御基板３５の後側半分３５Ｂに電気的に接続されている。
【００７５】
原稿カバー２１は、スキャナフレーム４の上側半分を構成し、上下方向に扁平な略ボックス形状に形成されている。原稿カバー２１は、その後端部において、フレーム本体５１の後端部に揺動可能に支持されている。
【００７６】
そして、スキャナフレーム４は、その後端部において、第２支持フレーム３２の後端部に揺動可能に支持されている。スキャナフレーム４は、図１に示すように、その前端部が排紙トレイ２０の上側に近接配置される近接位置と、図２に示すように、その前端部が排紙トレイ２０から上側へ近接位置よりも離間される離間位置とに揺動される。なお、スキャナフレーム４が近接位置に配置されているときには、読取窓２２が略水平に配置される。また、スキャナフレーム４が離間位置に配置されているときには、読取窓２２が傾斜される。
４．本体ケーシングとスキャナフレームとの相対配置
スキャナフレーム４が近接位置に配置されているときには、図４および図５に示すように、モータ収容部５２が、駆動側対向部４２の上側に対向配置される。すなわち、モータ５５は、定着カバー３０の左後側において、上下方向に投影したときに用紙Ｐの搬送経路と重ならないように配置されている。また、配線収容部５３の右端部が、配線露出部５９の左側において、基板収容部４１の上側に対向配置される。すなわち、配線収容部５３の右端部のうち、配線露出部５９の左側の部分が、基板側対向部６０である。
【００７７】
このとき、図５に示すように、モータ収容部５２の下端部は、メイン制御基板３５の上端部よりも下側に配置されている。
【００７８】
また、図１および図２に示すように、配線収容部５３のうち、基板側対向部６０よりも左側の部分は、上壁４０の上側に間隔を隔てて対向配置される。また、フレーム本体５１の下壁５７は、定着カバー３０の上側に間隔を隔てて対向配置される。すなわち、上下方向において定着ユニット８と重なる位置において、本体ケーシング２とスキャナフレーム４とは、上下方向に間隔を隔てて対向されている。なお、１対の脚部５４は、排紙トレイ２０の左右方向外側において、本体ケーシング２の前端部に当接される。
【００７９】
上記した画像形成動作において、定着ユニット８からの熱により加熱された空気は、図１に仮想線で示すように、フレーム本体５１の下壁５７と排紙トレイ２０との間を介してプリンタ１の前側へ流出されるとともに、第２支持フレーム３２の上壁４０と配線収容部５３との間を通過し、第２支持フレーム３２の後壁４６のスリット４７を介して、プリンタ１の後側へ流出される。
５．作用効果
（１）このプリンタ１によれば、図２および図５に示すように、モータ５５を収容するモータ収容部５２が、フレーム本体５１の左側後端部に設けられ、メイン制御基板３５の後側半分３５Ｂを収容する基板収容部４１が、第２支持フレーム３２の右壁３９Ｒの上端部に配置されている。
【００８０】
そのため、第２支持フレーム３２の左壁３９Ｌの上側の空間を利用してモータ収容部５２を配置するとともに、フレーム本体５１の右端部の下側の空間を利用して基板収容部４１を配置することができる。
【００８１】
これにより、モータ収容部５２と基板収容部４１とが同じ側に設けられている場合と比べて、モータ収容部５２および基板収容部４１を効率よく配置することができる。
【００８２】
その結果、原稿の画像を読み取る画像読取部５を備えるプリンタ１の小型化をより図ることができる。
（２）また、このプリンタ１によれば、図５に示すように、基板収容部４１の上面４１Ａは、駆動側対向部４２の上面４２Ａよりも上側に配置されている。
【００８３】
そのため、駆動側対向部４２の上側の空間を利用してモータ収容部５２を効率よく配置することができる。
（３）また、このプリンタ１によれば、図５に示すように、メイン制御基板３５の上端部は、駆動側対向部４２の上面４２Ａよりも上側に配置されている。
【００８４】
そのため、駆動側対向部４２の上側に、メイン制御基板３５の上下方向の突出長さに対応した空間を確保することができる。
【００８５】
その結果、モータ収容部５２をより効率よく配置することができる。
（４）また、このプリンタ１によれば、図５に示すように、モータ収容部５２の下端部は、メイン制御基板３５の上端部よりも下側に配置されていてもよい。
【００８６】
つまり、モータ収容部５２と、メイン制御基板３５の後側半分３５Ｂとは、左右方向から見て重なるように配置されている。
【００８７】
そのため、メイン制御基板３５の上側にモータ収容部５２が配置される構成と比べて、プリンタ１の上下方向長さを低減することができ、プリンタ１を小型化することができる。
（５）また、このプリンタ１によれば、図５に示すように、モータ５５の下端部は、基板側対向部６０の下端部よりも下側に配置されている。
【００８８】
そのため、基板側対向部６０の下側の空間を利用して基板収容部４１を効率よく配置することができる。
【００８９】
しかも、基板側対向部６０の下側に、モータ５５の上下方向の突出長さに対応した空間を確保することができる。
【００９０】
そのため、基板収容部４１をより効率よく配置することができ、プリンタ１の小型化をより一層図ることができる。
（６）また、このプリンタ１によれば、図１および図４に示すように、モータ５５は、上下方向に投影したときに、用紙Ｐの搬送経路と重ならないように、画像形成部３の左後側に配置されている。
【００９１】
そのため、モータ５５を、用紙Ｐの搬送経路と干渉させることなく、より下側に配置することができる。
（７）また、このプリンタ１によれば、図１に示すように、定着カバー３０と、フレーム本体５１の下壁５７とは、上下方向に間隔を隔てて対向されている。
【００９２】
そのため、フレーム本体５１の下壁５７と、定着カバー３０との間隔を利用して、定着ユニット８から発生される熱を、プリンタ１の外へ排出することができる。
（８）また、このプリンタ１によれば、図４に示すように、モータ５５は、定着ユニット８の左後側に配置されている。
【００９３】
そのため、定着ユニット８の左側の空間を利用して、モータ５５を配置することができる。
【００９４】
その結果、モータ５５をより効率よく配置することができ、プリンタ１の小型化をより一層図ることができる。
５．変形例
上記した実施形態では、モータ５５によって、画像読取部５の図示しない読取センサを駆動させているが、モータ５５が駆動させる部材は、読取センサに限らない。例えば、原稿カバー２１に図示しない自動搬送機構、いわゆるオートドキュメントフィーダが設けられている場合には、モータ５５で自動搬送機構を駆動させることもできる。
【００９５】
また、上記した実施形態では、画像読取部５の読取方式の一例として、ＣＩＳ方式を挙げたが、画像読取部５の読取方式は特に限定されず、例えば、読取センサとしてＣＣＤセンサを用いるＣＣＤセンサ方式を採用することもできる。
【符号の説明】
【００９６】
１      プリンタ
２      本体ケーシング
３      画像形成部
４      スキャナフレーム
５      画像読取部
８      定着ユニット
３５    メイン制御基板
４１    基板収容部
４２    駆動側対向部
５２    モータ収容部
５５    モータ
６０    基板側対向部
Ｐ      用紙
【図１】
2014109633.tif 000003
【図２】
2014109633.tif 000004
【図３】
2014109633.tif 000005
【図４】
2014109633.tif 000006
【図５】
2014109633.tif 000007